【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
装用者の眼の表面に装用することができる人工装具であって、
凸面と、
凹面と、
該人工装具の残りの部分とは異なる少なくとも一部分を有する、開口拡大帯（aperture widening zone）と
を含み、
該開口拡大帯が、該人工装具の幾何学中心から少なくとも5.25mmに位置する、最大厚さ差分追加部（maximum added thickness delta）を有する厚さ漸増区域を含み、
該開口拡大帯の最小垂直寸法が10.5mmに等しいかまたはそれよりも大きく、
該開口拡大帯が、該装用者の眼の本来の眼瞼裂を拡大させるように構成されている、
前記人工装具。
【請求項２】
前記最大厚さ差分追加部が、前記人工装具の幾何学中心から少なくとも5.5mmに位置する、請求項1に記載の人工装具。
【請求項３】
前記最大厚さ差分追加が少なくとも200ミクロンである、請求項1または2に記載の人工装具。
【請求項４】
前記最大厚さ差分追加が少なくとも300ミクロンである、請求項1〜3のいずれか一項に記載の人工装具。
【請求項５】
前記最大厚さ差分追加部が、前記人工装具が眼の表面に装用されたときに前記装用者の眼の縁またはその外側に位置するように構成されている、請求項1〜4のいずれか一項に記載の人工装具。
【請求項６】
前記開口拡大帯が、前記人工装具の前記凸面に位置する1つの表面特徴を含む、請求項1〜5のいずれか一項に記載の人工装具。
【請求項７】
前記開口拡大帯が、前記人工装具の前記凸面に位置する複数の表面特徴を含む、請求項1〜6のいずれか一項に記載の人工装具。
【請求項８】
前記開口拡大帯が、前記最大厚さ差分追加部が間に位置する外側勾配（outer slope）および内側勾配（inner slope）を含み、かつ、該外側勾配が該内側勾配より大きい、請求項1〜7のいずれか一項に記載の人工装具。
【請求項９】
前記開口拡大帯が、前記最大厚さ差分追加部が間に位置する外側勾配および内側勾配を含み、かつ、該内側勾配の厚さ勾配が、1ミリメートル当たり350ミクロン以下である、請求項1〜8のいずれか一項に記載の人工装具。
【請求項１０】
前記開口拡大帯が、前記最大厚さ差分追加部が間に位置する外側勾配および内側勾配を含み、かつ、該外側勾配の厚さ勾配が、1ミリメートル当たり50ミクロン以上である、請求項1〜9のいずれか一項に記載の人工装具。
【請求項１１】
前記開口拡大帯が表面摩擦増加区域（area of increased surface friction）を含み、かつ該表面摩擦増加が、表面処理、コーティング、前記人工装具を形成するのに用いられている材料とは異なる材料、表面のくぼみ、表面の凹凸、またはそれらの組み合わせのうちの少なくとも1つによってもたらされる、請求項1〜10のいずれか一項に記載の人工装具。
【請求項１２】
前記開口拡大帯が、厚さ漸増径（incremental thickness diameter）が少なくとも10.5mmであるリングを含む、請求項1〜11のいずれか一項に記載の人工装具。
【請求項１３】
角膜縁リング、着色されたリング、色合いのついた虹彩リング、およびそれらの組み合わせからなる群より選択される着色された強調色をさらに含む、請求項1〜12のいずれか一項に記載の人工装具。
【請求項１４】
前記最小垂直寸法が、11.5mmに等しいかまたはそれよりも大きい、請求項1〜13のいずれか一項に記載の人工装具。
【請求項１５】
装用者の眼の本来の眼瞼裂を少なくとも0.5mm拡大させるように構成されている、請求項1〜14のいずれか一項に記載の人工装具。
【請求項１６】
眼に装用されたときに通常のまばたきの際に自由に回転できるように構成されている、請求項1〜15のいずれか一項に記載の人工装具。
【請求項１７】
角強膜レンズおよび強膜リングからなる群より選択される、請求項1〜16のいずれか一項に記載の人工装具。
【請求項１８】
前記人工装具が、該人工装具の外周を定める周辺エッジを含み、該周辺エッジが、丸みのある形状を含む、請求項1〜17のいずれか一項に記載の人工装具。
【請求項１９】
人工装具であって、
周辺エッジと、
幾何学中心と、
外側勾配、内側勾配、第一の最大厚さ差分追加点（point of maximum added thickness delta）、第二の最大厚さ差分追加点、および該第一の最大厚さ差分追加点から該第二の最大厚さ差分追加点まで該人工装具の幾何学中心を経由して測定される厚さ漸増径（incremental thickness diameter）を含み、最小垂直寸法が10.5mmに等しいかまたはそれよりも大きい、開口拡大帯と
を含み、
該外側勾配の厚さ勾配が1ミリメートル当たり50ミクロン以上であり、
該開口拡大帯の該第一および第二の最大厚さ差分追加点の追加厚さがそれぞれ200ミクロン以上であり、
該開口拡大帯の該第一および第二の最大厚さ差分追加点が該周辺エッジから1mm〜3mmの間に位置し、
該厚さ漸増径が10.5mm以上である、前記人工装具。
【請求項２０】
前記第一の最大厚さ差分追加点および前記第二の最大厚さ差分追加点が、前記人工装具が眼の表面に装用されたときに装用者の眼の縁またはその外側に位置するように構成されている、請求項19に記載の人工装具。
【手続補正２】
【補正対象書類名】明細書
【補正対象項目名】００４２
【補正方法】変更
【補正の内容】
【００４２】
人工装具および／または開口拡大帯に関して上記に列挙したさまざまな態様を、それらが排反的である場合を除き、あらゆる組み合わせで組み合わせることができることは理解されるであろう。
[本発明1001]
装用者の眼の表面に装用することができる人工装具であって、
凸面および凹面と、
該凸面上に位置する開口拡大帯（aperture widening zone）と
を含み、
該装用者の眼の本来の眼瞼裂を少なくとも1mm拡大させる、
前記人工装具。
[本発明1002]
装用者の眼の表面に装用することができる人工装具であって、
凸面および凹面と、
該凸面上に位置する開口拡大帯と
を含み、
角強膜レンズであり、かつ
該装用者の眼の本来の眼瞼裂を少なくとも1mm拡大させる、
前記人工装具。
[本発明1003]
装用者の眼の表面に装用することができる人工装具であって、
凸面および凹面と、
該凸面上に位置する開口拡大帯と
を含み、
強膜リングであり、かつ
該装用者の眼の本来の眼瞼裂を少なくとも1mm拡大させる、
前記人工装具。
[本発明1004]
装用者の眼の表面に装用することができる人工装具であって、
凸面および凹面と、
該凸面上に位置し、少なくとも1つの表面特徴を有する、開口拡大帯と
を含み、
該装用者の眼の本来の眼瞼裂を少なくとも1mm拡大させる、
前記人工装具。
[本発明1005]
装用者の眼の表面に装用することができる人工装具であって、
凸面および凹面と、
周辺エッジと、
該凸面上に位置し、最大厚さ変化部（maximum change in thickness）が間に位置する外側勾配（outer slope）および内側勾配（inner slope）を含む、開口拡大帯と
を含み、
該外側勾配と該内側勾配が異なる、
前記人工装具。
[本発明1006]
装用者の眼の表面に装用することができる人工装具であって、
凸面および凹面と、
該凸面上に位置し、少なくとも1つの表面特徴を有する、開口拡大帯と
を含み、
該開口拡大帯が最小垂直を有する、
前記人工装具。
[本発明1007]
装用者の眼の表面に装用することができる人工装具であって、
凸面および凹面と、
周辺エッジと、
幾何学中心と、
該凸面上に位置し、少なくとも1つの表面特徴を有する、開口拡大帯と
を含み、
該少なくとも1つの表面特徴の少なくとも一部分が、該人工装具の該幾何学中心から5.25mmまたはそれよりも外側に位置する、
前記人工装具。
[本発明1008]
少なくとも14.5mmの全径を含む、本発明1001〜1007のいずれかの人工装具。
[本発明1009]
少なくとも15mmの全径を含む、本発明1001〜1007のいずれかの人工装具。
[本発明1010]
少なくとも15.5mmの全径を含む、本発明1001〜1007のいずれかの人工装具。
[本発明1011]
回転対称性レンズである、本発明1001〜1007のいずれかの人工装具。
[本発明1012]
回転可能である、本発明1001〜1007のいずれかの人工装具。
[本発明1013]
回転可能でない、本発明1001〜1007のいずれかの人工装具。
[本発明1014]
前記開口拡大帯が前記装用者の下眼瞼を少なくとも1mm押し下げる、本発明1001〜1007のいずれかの人工装具。
[本発明1015]
前記開口拡大帯が前記装用者の上眼瞼を少なくとも1mm拳上させる、本発明1001〜1007のいずれかの人工装具。
[本発明1016]
着色された強調色をさらに含む、本発明1001〜1007のいずれかの人工装具。
[本発明1017]
前記着色された強調色が、前記人工装具の、該人工装具が装用されたときに眼の角膜縁またはその近くにフィットする部分の周りにある、本発明1016の人工装具。
[本発明1018]
前記着色された強調色が、角膜縁リング、サークルリング、またはサークルレンズのうちの1つである、本発明1016の人工装具。
[本発明1019]
多焦点コンタクトレンズである、本発明1001〜1002および1004〜1007のいずれかの人工装具。
[本発明1020]
トーリックコンタクトレンズである、本発明1001〜1002および1004〜1007のいずれかの人工装具。
[本発明1021]
単焦点コンタクトレンズである、本発明1001〜1002および1004〜1007のいずれかの人工装具。
[本発明1022]
前記開口拡大帯が表面摩擦増加区域（area of increased surface friction）を含む、本発明1001〜1007のいずれかの人工装具。
[本発明1023]
前記表面摩擦増加が、表面処理、コーティング、異なる材料、表面のくぼみ、表面の凹凸、またはそれらの組み合わせによってもたらされる、本発明1022の人工装具。
[本発明1024]
前記開口拡大帯が、最大厚さ変化部が間に位置する外側勾配および内側勾配を含む、本発明1001〜1004および1006〜1007のいずれかの人工装具。
[本発明1025]
前記外側勾配と前記内側勾配が異なる、本発明1024の人工装具。
[本発明1026]
前記外側勾配が前記内側勾配よりも大きい、本発明1005または1025の人工装具。
[本発明1027]
前記外側勾配が3°〜45°の角度を含む、本発明1005または1026の人工装具。
[本発明1028]
前記外側勾配が5°〜25°の角度を含む、本発明1005または1026の人工装具。
[本発明1029]
前記内側勾配が1°〜15°の角度を含む、本発明1005または1026の人工装具。
[本発明1030]
前記開口拡大帯が、最大厚さ変化部を有する厚さ漸増部（incremental thickness）を含む、本発明1001〜1004および1006〜1007の人工装具。
[本発明1031]
前記最大厚さ変化が25ミクロン〜1,000ミクロンの範囲内にある、本発明1005または1030の人工装具。
[本発明1032]
前記最大厚さ変化が100ミクロン〜500ミクロンの範囲内にある、本発明1031の人工装具。
[本発明1033]
前記最大厚さ変化が75ミクロン〜400ミクロンの範囲内にある、本発明1031の人工装具。
[本発明1034]
前記最大厚さ変化部が、前記人工装具の外側エッジから1.0mm〜2.5mmの間に位置する、本発明1005または1030の人工装具。
[本発明1035]
前記最大厚さ変化部が、前記開口拡大帯の外側エッジから1.0mm〜2.5mmの間に位置する、本発明1005または1030の人工装具。
[本発明1036]
前記最大厚さ変化部が、前記人工装具が眼の表面に装用されたときに前記装用者の眼の角膜縁またはその外側に位置する、本発明1005または1030の人工装具。
[本発明1037]
前記厚さ漸増部が、厚さ増加部または厚さ減少部である、本発明1030の人工装具。
[本発明1038]
前記開口拡大帯の最外部が、前記人工装具の幾何学中心から3mm〜8.5mmの範囲内に位置する、本発明1001〜1006のいずれかの人工装具。
[本発明1039]
前記開口拡大帯の最外部が、前記人工装具の幾何学中心から5mm〜7.75mmの範囲内に位置する、本発明1001〜1006のいずれかの人工装具。
[本発明1040]
前記開口拡大帯の最内部が、前記人工装具の周辺エッジと、該人工装具の周辺エッジから6mmとの間に位置する、本発明1001〜1006のいずれかの人工装具。
[本発明1041]
前記開口拡大帯の最外部が、前記幾何学中心から3mm〜8.5mmの範囲内に位置する、本発明1007の人工装具。
[本発明1042]
前記開口拡大帯の最外部が、前記幾何学中心から5mm〜7.75mmの範囲内に位置する、本発明1007の人工装具。
[本発明1043]
前記開口拡大帯の最内部が、前記周辺エッジと、該周辺エッジから6mmとの間に位置する、本発明1007の人工装具。
[本発明1044]
前記最小垂直寸法が、前記装用者の眼の本来の眼瞼裂の最大垂直径よりも大きい、本発明1006の人工装具。
[本発明1045]
前記最小垂直寸法が、10.5mmに等しいかまたはそれよりも大きい、本発明1006の人工装具。
[本発明1046]
前記最小垂直寸法が、11mmに等しいかまたはそれよりも大きい、本発明1006の人工装具。
[本発明1047]
前記最小垂直寸法が、11.5mmに等しいかまたはそれよりも大きい、本発明1006の人工装具。
[本発明1048]
前記最小垂直寸法が、12mmに等しいかまたはそれよりも大きい、本発明1006の人工装具。
[本発明1049]
前記最小垂直寸法が、前記開口拡大帯の最上部と該開口拡大帯の最下部との間の垂直距離である、本発明1006の人工装具。
[本発明1050]
複数の表面特徴をさらに含む、本発明1004および1006〜1007のいずれかの人工装具。
[本発明1051]
前記開口拡大帯が少なくとも1つの表面特徴を有する、本発明1001〜1003および1005のいずれかの人工装具。
[本発明1052]
角強膜レンズである、本発明1001および1004〜1007のいずれかの人工装具。
[本発明1053]
強膜リングである、本発明1001および1004〜1007のいずれかの人工装具。
[本発明1054]
前記開口拡大帯が最小垂直寸法を有する、本発明1001〜1005および1007のいずれかの人工装具。
[本発明1055]
前記人工装具が周辺エッジおよび幾何学中心をさらに含み、前記開口拡大帯が少なくとも1つの表面特徴を有し、該少なくとも1つの表面特徴または該少なくとも1つの表面特徴の少なくとも一部分が、該人工装具の該幾何学中心から5.25mmまたはそれよりも外側に位置する、本発明1001〜1003および1005のいずれかの人工装具。
[本発明1056]
前記少なくとも1つの表面特徴または該少なくとも1つの表面特徴の少なくとも一部分が、前記人工装具の前記幾何学中心から5.25mmまたはそれよりも外側に位置する、本発明1004および1006の人工装具。
[本発明1057]
前記人工装具が周辺エッジをさらに含み、該周辺エッジが、鋭利な形状、丸みのある形状、鈍い形状、またはやや丸みのある形状を有する、本発明1001〜1004および1006のいずれかの人工装具。
[本発明1058]
前記周辺エッジが、鋭利な形状、丸みのある形状、鈍い形状、またはやや丸みのある形状を有する、本発明1005または1007の人工装具。
[本発明1059]
前記人工装具が周辺エッジをさらに含み、該周辺エッジが25ミクロン〜100ミクロンの厚さを有する、本発明1001〜1004および1006のいずれかの人工装具。
[本発明1060]
前記周辺エッジが25ミクロン〜100ミクロンの厚さを有する、本発明1005または1007の人工装具。
[本発明1061]
ハイブリッドデザインを有する、本発明1001〜1007のいずれかの人工装具。
[本発明1062]
均質なデザインを有する、本発明1001〜1007のいずれかの人工装具。
[本発明1063]
前記開口拡大帯が、1つのリング、複数のリング、1つの部分的リング、複数の部分的リング、1つの島状部（island）、複数の島状部、バンド、部分的バンド、または複数の区分された区域を含む、本発明1001〜1007のいずれかの人工装具。
[本発明1064]
前記装用者によって連続して装用されうる、本発明1001〜1007のいずれかの人工装具。
[本発明1065]
前記装用者によって非連続的に装用されうる、本発明1001〜1007のいずれかの人工装具。
[本発明1066]
前記装用者によって1日間、1週間、または1カ月間装用されうる、本発明1001〜1007のいずれかの人工装具。
[本発明1067]
使い捨て式である、本発明1001〜1007のいずれかの人工装具。
[本発明1068]
再利用可能である、本発明1001〜1007のいずれかの人工装具。
[本発明1069]
屈折力を含む、本発明1001〜1002および1004〜1007のいずれかの人工装具。
[本発明1070]
屈折力を含まない、本発明1001〜1002および1004〜1007のいずれかの人工装具。
[本発明1071]
以下の段階を含む、装用者の眼の本来の眼瞼裂を拡大させる方法：
該装用者の本来の眼瞼裂を少なくとも1mm拡大させるためのプロトコールまたは説明書を提供する段階、および
その凸面に位置する開口拡大帯を含む少なくとも1つの人工装具を提供する段階。
[本発明1072]
前記プロトコールまたは説明書が、
前記装用者の本来の眼瞼裂の垂直寸法を決定するための指示、および
前記本来の眼瞼裂の最大垂直寸法よりも少なくとも1mm大きい最小垂直寸法を有する人工装具を該装用者に提供すること
を含む、本発明1071の方法。
[本発明1073]
前記人工装具が前記装用者の本来の眼瞼裂を少なくとも1mm拡大させる、本発明1071の方法。
[本発明1074]
前記開口拡大帯が前記装用者の下眼瞼を少なくとも1mm押し下げる、本発明1071の方法。
[本発明1075]
前記開口拡大帯が前記装用者の上眼瞼を少なくとも1mm押し上げる、本発明1071の方法。
[本発明1076]
前記人工装具が角強膜レンズである、本発明1071の方法。
[本発明1077]
前記人工装具が強膜リングである、本発明1071の方法。
[本発明1078]
前記人工装具が少なくとも14.5mmの全径を含む、本発明1071の方法。
[本発明1079]
前記人工装具が少なくとも15mmの全径を含む、本発明1071の方法。
[本発明1080]
前記人工装具が少なくとも15.5mmの全径を含む、本発明1071の方法。
[本発明1081]
前記人工装具が回転対称性レンズである、本発明1071の方法。
[本発明1082]
前記人工装具が回転可能である、本発明1071の方法。
[本発明1083]
前記人工装具が回転可能でない、本発明1071の方法。
[本発明1084]
前記人工装具が着色された強調色をさらに含む、本発明1071の方法。
[本発明1085]
前記着色された強調色が、前記人工装具が装用されているときに、該人工装具の、眼の角膜縁またはそのすぐ近くの部分の周りにある、本発明1084の方法。
[本発明1086]
前記着色された強調色が、角膜縁リング、サークルリング、またはサークルレンズのうちの一つである、本発明1084の人工装具。
[本発明1087]
前記人工装具が多焦点コンタクトレンズである、本発明1071の方法。
[本発明1088]
前記人工装具がトーリックレンズである、本発明1071の方法。
[本発明1089]
前記人工装具が単焦点コンタクトレンズである、本発明1071の方法。
[本発明1090]
前記開口拡大帯が表面摩擦増加区域を含む、本発明1071の方法。
[本発明1091]
前記表面摩擦増加が、表面処理、コーティング、異なる材料、表面のくぼみ、表面の凹凸、またはそれらの組み合わせによってもたらされる、本発明1090の方法。
[本発明1092]
前記開口拡大帯が、最大厚さ変化部が間に位置する外側勾配および内側勾配を含む、本発明1071の方法。
[本発明1093]
前記外側勾配と前記内側勾配が異なる、本発明1092の方法。
[本発明1094]
前記外側勾配が前記内側勾配よりも大きい、本発明1092の方法。
[本発明1095]
前記外側勾配が3°〜45°の角度を含む、本発明1092の方法。
[本発明1096]
前記外側勾配が5°〜25°の角度を含む、本発明1092の方法。
[本発明1097]
前記内側勾配が1°〜15°の角度を含む、本発明1092の方法。
[本発明1098]
前記最大厚さ変化が25ミクロン〜1,000ミクロンの範囲内にある、本発明1092の方法。
[本発明1099]
前記最大厚さ変化が100ミクロン〜500ミクロンの範囲内にある、本発明1092の方法。
[本発明1100]
前記最大厚さ変化が75ミクロン〜400ミクロンの範囲内にある、本発明1092の方法。
[本発明1101]
前記最大厚さ変化部が前記人工装具の外側エッジから1.0mm〜2.5mmの間に位置する、本発明1092の方法。
[本発明1102]
前記最大厚さ変化部が前記開口拡大帯の外縁から1.0mm〜2.5mmの間に位置する、本発明1092の方法。
[本発明1103]
前記最大厚さ変化部が前記装用者の眼の角膜縁またはその外側に位置する、本発明1092の方法。
[本発明1104]
前記開口拡大帯が、最大厚さ変化部を有する厚さ漸増部を含む、本発明1071の方法。
[本発明1105]
前記厚さ漸増部が厚さ増加部または厚さ減少部である、本発明1104の方法。
[本発明1106]
前記開口拡大帯の最外部が前記人工装具の幾何学中心から3mm〜8.5mmの範囲内に位置する、本発明1071の方法。
[本発明1107]
前記開口拡大帯の最外部が前記人工装具の幾何学中心から5mm〜7.75mmの範囲内に位置する、本発明1071の方法。
[本発明1108]
前記開口拡大帯の最内部が、前記人工装具の周辺エッジと、該人工装具の周辺エッジから6mmとの間に位置する、本発明1071の方法。
[本発明1109]
前記最小垂直寸法が10.5mmに等しいかまたはそれよりも大きい、本発明1072の方法。
[本発明1110]
前記最小垂直寸法が11mmに等しいかまたはそれよりも大きい、本発明1072の方法。
[本発明1111]
前記最小垂直寸法が11.5mmに等しいかまたはそれよりも大きい、本発明1072の方法。
[本発明1112]
前記最小垂直寸法が12mmに等しいかまたはそれよりも大きい、本発明1072の方法。
[本発明1113]
前記最小垂直寸法が、前記開口拡大帯の最上部と該開口拡大帯の最下部との間の垂直距離である、本発明1072の方法。
[本発明1114]
前記開口拡大帯が少なくとも1つの表面特徴を含む、本発明1071の方法。
[本発明1115]
前記開口拡大帯が複数の表面特徴を含む、本発明1071の方法。
[本発明1116]
前記少なくとも1つの表面特徴または該少なくとも1つの表面特徴の少なくとも一部分が、前記人工装具の幾何学中心から5.25mmまたはそれよりも外側に位置する、本発明1100の方法。
[本発明1117]
前記人工装具が周辺エッジをさらに含み、該周辺エッジが25ミクロン〜100ミクロンの厚さを有する、本発明1071の方法。
[本発明1118]
前記人工装具がハイブリッドデザインを有する、本発明1071の方法。
[本発明1119]
前記人工装具が均質なデザインを有する、本発明1071の方法。
[本発明1120]
前記開口拡大帯が、1つのリング、複数のリング、1つの部分的リング、複数の部分的リング、1つの島状部、複数の島状部、バンド、部分的バンド、または複数の区分された区域を含む、本発明1071の方法。
[本発明1121]
前記人工装具が、前記装用者によって連続して装用されうる、本発明1071の方法。
[本発明1122]
前記人工装具が、前記装用者によって非連続的に、1日間、1週間、または1カ月間装用されうる、本発明1071の方法。
[本発明1123]
前記人工装具が使い捨て式である、本発明1071の方法。
[本発明1124]
前記人工装具が再利用可能である、本発明1071の方法。
[本発明1125]
前記人工装具が屈折力を含む、本発明1071の方法。
[本発明1126]
前記人工装具が屈折力を含まない、本発明1071の方法。
[本発明1127]
人工装具であって、
外側勾配、内側勾配、最大厚さ差分追加点（point of maximum added thickness delta）、および厚さ漸増径（incremental thickness diameter）を含む、開口拡大帯と、
周辺エッジと、
幾何学中心と、
該周辺エッジ上の第1の点から反対側の周辺エッジ上の第2の点まで、該人工装具の該幾何学中心および該開口拡大帯を経由して測定される全径と
を含み、
該人工装具の該全径が14.5mm以上であり、
該外側勾配が5度〜25度の範囲内にあり、
該開口拡大帯の該最大厚さ差分追加点が75ミクロン以上であり、
該開口拡大帯の該最大厚さ差分追加点が該周辺エッジから1mm〜3mmの間に位置し、かつ
該厚さ漸増径が10.5mm以上である、前記人工装具。
[本発明1128]
自由に回転できる、本発明1127の人工装具。
[本発明1129]
自由には回転できない、本発明1127の人工装具。
[本発明1130]
前記厚さ漸増径が装用者の眼の本来の開口の垂直測定値よりも1mm大きい、本発明1127の人工装具。
[本発明1131]
角強膜コンタクトレンズである、本発明1127の人工装具。
[本発明1132]
強膜リングである、本発明1127の人工装具。
[本発明1133]
屈折力を含む、本発明1127の人工装具。
[本発明1134]
屈折力を含まない、本発明1127の人工装具。
[本発明1135]
単焦点コンタクトレンズである、本発明1127の人工装具。
[本発明1136]
多焦点コンタクトレンズである、本発明1127の人工装具。
[本発明1137]
トーリックコンタクトレンズである、本発明1127の人工装具。
[本発明1138]
シリコーンハイドロゲルを含む、本発明1127の人工装具。
[本発明1139]
ハイドロゲルを含む、本発明1127の人工装具。
[本発明1140]
均質な材料でできている、本発明1127の人工装具。
[本発明1141]
ハイブリッド材料でできている、本発明1127の人工装具。
[本発明1142]
前記開口拡大帯が前記周辺エッジでまたはそれに近接して始まる、本発明1127の人工装具。
[本発明1143]
前記開口拡大帯が前記周辺エッジの内側で始まる、本発明1127の人工装具。
[本発明1144]
前記最大厚さ差分追加点が100ミクロン以上である、本発明1127の人工装具。
[本発明1145]
前記最大厚さ差分追加点が125ミクロン以上である、本発明1127の人工装具。
[本発明1146]
前記最大厚さ差分追加点が150ミクロン以上である、本発明1127の人工装具。
[本発明1147]
前記最大厚さ差分追加点が175ミクロン以上である、本発明1127の人工装具。
[本発明1148]
前記最大厚さ差分追加点が200ミクロン以上である、本発明1127の人工装具。
[本発明1149]
前記最大厚さ差分追加点が225ミクロン以上である、本発明1127の人工装具。
[本発明1150]
前記最大厚さ差分追加点が250ミクロン以上である、本発明1127の人工装具。
[本発明1151]
1日装用用、使い捨て用、連続装用用、1週間装用用または1カ月間装用用のうちの1つである、本発明1127の人工装具。
[本発明1152]
安定化されていない、本発明1127の人工装具。
[本発明1153]
前記開口拡大帯が円形リングである、本発明1127の人工装具。
[本発明1154]
前記開口拡大帯が、リングを構成する一連の部分的区分である、本発明1127の人工装具。